(57)【要約】【課題】本発明は、保持板と端部保持板によって複数の分割コアを挟持して分割コア直列保持体とし、同時に多くの分割コアに巻線を施すことを目的とする。【解決手段】本発明は、各保持板(5)間に分割コア(1)を保持して分割コア直列保持体(10)を形成し、この分割コア直列保持体(10)の両端の端部保持板(11,12)に形成された各軸部(13)を介して回転させ、各分割コア(1)にコイルを巻付ける方法である。【選択図】図２
2008043019.tif 000002
【特許請求の範囲】
【請求項１】
直列配置の複数の保持板(5)間に分割コア(1)を各々保持して分割コア直列保持体(10)を形成し、前記分割コア直列保持体(10)の両端の各端部保持板(11,12)に形成された一対の軸部(13)を介して前記分割コア直列保持体(10)を回転させ、前記各分割コア(1)に対してコイルを順次巻付けることにより前記各分割コア(1)のコイルは直列に接続されていることを特徴とする分割コア巻線方法。
【請求項２】
前記各保持板(5)の両面に形成された第１、第２保持凹部(20,21)を有し、前記分割コア(1)の接続部(2)は前記第１保持凹部(20)に接合し、前記分割コア(1)の歯部(3)は前記第２保持凹部(21)に接合し、前記各端部保持板(11,12)の一面には、前記第１、第２保持凹部(20,21)の何れか一方のみが形成されていることを特徴とする請求項１記載の分割コア巻線方法。
【請求項３】
前記各保持板(5)及び端部保持板(11,12)の周面には、溝(14)が形成され、前記溝(14)には前記コイルが案内されることを特徴とする請求項１記載の分割コア巻線方法。
【請求項４】
前記各保持板(5)及び端部保持板(11,12)は円板よりなることを特徴とする請求項１記載の分割コア巻線方法。
【発明の詳細な説明】
【技術分野】
【０００１】
本発明は、分割コア巻線方法に関し、特に、複数の分割コアを各保持板の各保持凹部に接合させて分割コア直列保持体を形成し、この分割コア直列保持体を回転させることにより、各分割コアに巻付けたコイルを直列接続状態とし、巻線工数の大幅な低減を達成するための新規な改良に関する。
【背景技術】
【０００２】
従来、用いられていたこの種の分割コアとしては、ここでは特に特許文献等を開示していないが、分割コアは個別に巻線が施された後に、各分割コアを輪状に接続し、各分割コアのコイルの接続を行って輪状ステータを形成していた。
【発明の開示】
【発明が解決しようとする課題】
【０００３】
従来の分割コアの巻線方法は、以上のように構成されていたため、次のような課題が存在していた。
すなわち、各分割コア毎にコイルを巻付け、輪状に接続する時に、各コイルを接続しなければならず、分割コア型の輪状ステータの組立ての最大の欠点であった。
【課題を解決するための手段】
【０００４】
本発明による分割コア巻線方法は、直列配置の複数の保持板間に分割コアを各々保持して分割コア直列保持体を形成し、前記分割コア直列保持体の両端の各端部保持板に形成された一対の軸部を介して前記分割コア直列保持体を回転させ、前記各分割コアに対してコイルを順次巻付けることにより前記各分割コアのコイルは直列に接続されている方法であり、また、前記各保持板の両面に形成された第１、第２保持凹部を有し、前記分割コアの接続部は前記第１保持凹部に接合し、前記分割コアの歯部は前記第２保持凹部に接合し、前記各端部保持板の一面には、前記第１、第２保持凹部の何れか一方のみが形成されている方法であり、また、前記各保持板及び端部保持板の周面には、溝が形成され、前記溝には前記コイルが案内される方法であり、また、前記各保持板及び端部保持板は円板よりなる方法である。
【発明の効果】
【０００５】
本発明による分割コア巻線方法は、以上のように構成されているため、次のような効果を得ることができる。
すなわち、複数の分割コアを保持板と端部保持板で直列接続して分割コア直列保持体とし、この分割コア直列保持体を回転させ、各分割コアに順次コイルを巻付けるため、各分割コアに巻付けられたコイルは互いに直列接続され、輪状ステータ組立時のコイルの接続を不要とし、巻線工数の大幅な低減を得ることができる。
【発明を実施するための最良の形態】
【０００６】
本発明は、複数の分割コアを各保持板の各保持凹部に接合させて分割コア直列保持体を形成し、この分割コア直列保持体を回転させることにより、各分割コアに巻付けたコイルを直列接続状態とし、巻線工数の大幅な低減を達成できる分割コア巻線方法を提供することを目的とする。
【実施例】
【０００７】
以下、図面と共に本発明による分割コア巻線方法の好適な実施の形態について説明する。
図１において符号１で示されるものは全体形状がＴ字型をなすと共に磁性材で形成された分割コアであり、この分割コア１は、輪状ステータ（図示せず）を形成するための輪状の一部をなす接続部２と、この接続部２から内方へ突出する磁極を形成するための歯部３とから構成されている。
【０００８】
前記分割コア１には、一対構成の絶縁カバー４が設けられており、この分割コア１は各保持板５間に保持されている。
前記分割コア１は、複数の保持板５間で保持されていることにより分割コア直列保持体１０が形成され、この分割コア直列保持体１０の両端には一対の端部保持板１１、１２が設けられると共に、各端部保持板１１、１２の外面には軸部１３が形成されている。
【０００９】
従って、前記各保持板５と端部保持板１１、１２との間には、前記各分割コア１が挟持されて保持されていると共に、各保持板５と端部保持板１１、１２の外周には軸方向に沿って形成された溝１４が形成されている。
【００１０】
また、前記各保持板５の両面には、四角形状の大型の第１保持凹部２０と、この第１保持凹部２０よりも小さい前記歯部３に対応した形状（長方形）の第２保持凹部２１が形成されている。
前記各端部保持板１１、１２の一面には、第１、第２保持凹部２０、２１の何れか一方のみが形成され、端部保持板１１には第２保持凹部２１のみが形成されていると共に、端部保持板１２には第１保持凹部２０のみが形成されている。
【００１１】
従って、前記分割コア直列保持体１０を構成する場合、各保持板５の第１保持凹部２０には分割コア１の接続部２が接合し、第２保持凹部２１には分割コア１の歯部３が接合している。
従って、第２保持凹部２１の形状は、前記歯部３が接合できる長方形の凹部で形成されている。
【００１２】
また、前記端部保持板１１の第２保持凹部２１には、分割コア１の歯部３が接合し、前記端部保持板１２の第１保持凹部２０には分割コア１の接続部２が接合している。
【００１３】
次に、以上のように構成された分割コア直列保持体１０の各分割コア１にコイルを巻付ける場合について説明する。
まず、図示しない巻線機の各回転体に各軸部１３、１３を接続し、分割コア直列保持体１０を回転させると、巻線機のニードルを介して供給されたコイル（図示せず）は、ニードルの移動に同期して順次整列巻きが行われる。
また、各分割コア１を渡る時は、コイルが前記各保持板５及び各端部保持板１１、１２の各溝１４を介して移動することにより行われる。
【００１４】
次に、前述の各分割コア１に対するコイル巻付けが完了すると、各分割コア１と各保持板５及び端部保持板１１、１２とを分離させると、巻線完了後の各分割コア１がコイルで接続された状態となり、各分割コア１の各接続部２を接続することにより、輪状ステータ（図示せず）を得ることができる
【００１５】
尚、前述の形態においては、４個の分割コア１を用いた場合について述べたが、分割コア１の数は任意であり、必要に応じて多くの分割コア１にコイルの巻付けを自動的に行うことができる。
【図面の簡単な説明】
【００１６】
【図１】本発明による分割コア巻線方法に適用する分割コア直列保持体を示す分解斜視図である。
【図２】図１の要部の組立状態を示す拡大斜視図である。
【符号の説明】
【００１７】
１    分割コア
２    接続部
３    歯部
４    絶縁カバー
５    保持板
１０    分割コア直列保持体
１１、１２    端部保持板
１３    軸部
１４    溝
２０    第１保持凹部
２１    第２保持凹部
【図１】
2008043019.tif 000003
【図２】
2008043019.tif 000004